(57)【要約】【課題】  炊飯器本体の底部に略リング状の防磁部材を設けた炊飯器において、防磁部材の径や高さを調整することで、加熱コイルと鍋との結合状態を調整できるようにし、加熱コイルの磁界分布を局所的に変化させることにより、炊きむら、炊飯性能を改善する。【解決手段】  炊飯器本体１内に鍋２を着脱自在に収納し、この鍋２を加熱コイル５により誘導加熱する。加熱コイル５の下方に、リード線を円周状に接続した防磁部材９を具備する。【選択図】  図１
2005081043.tif 000002
【特許請求の範囲】
【請求項１】
炊飯器本体と、この炊飯器本体内に着脱自在に収納される鍋と、この鍋を誘導加熱する加熱コイルとを備え、前記加熱コイルの下方に、リード線を円周状に接続した防磁部材を具備した炊飯器。
【請求項２】
炊飯器本体と、この炊飯器本体内に着脱自在に収納される鍋と、この鍋を誘導加熱する加熱コイルとを備え、前記加熱コイルは、同心円状の内加熱コイルと外加熱コイルにより構成し、前記内加熱コイルの下方に、リード線を円周状に接続した防磁部材を具備した炊飯器。
【請求項３】
防磁部材は、炊飯器本体の底部に設けた固定爪により保持するようにした請求項１または２記載の炊飯器。
【請求項４】
防磁部材は、炊飯器本体の底部に一体に形成した請求項１または２記載の炊飯器。
【請求項５】
防磁部材は、周長を可変とした請求項１または２記載の炊飯器。
【請求項６】
防磁部材は、取り付け高さを可変とした請求項１または２記載の炊飯器。
【発明の詳細な説明】
【技術分野】
【０００１】
本発明は、炊飯器本体の底部に略リング状の防磁部材を設けた炊飯器に関するものである。
【背景技術】
【０００２】
従来、この種の炊飯器は、炊飯器本体の上部をヒンジ部で開閉自在に配設した蓋で覆い、炊飯器本体内に設けた保護枠内に内鍋を着脱自在に収納し、制御部により底加熱コイルに高周波電力を供給して内鍋を底加熱コイルにより誘導加熱するとともに内鍋の温度を底センサにより検知するよう構成し、炊飯器本体の底部には底センサを除いた略リング状の防磁板を設け、防磁板は爪嵌合またはねじにより炊飯器本体の底部に固定していた（例えば、特許文献１参照）。
【特許文献１】特開平１１−５６５９８号公報
【発明の開示】
【発明が解決しようとする課題】
【０００３】
しかしながら、前述のような従来の構成では、一般に、底加熱コイルが同心円状の内加熱コイルと外加熱コイルにより構成されており、ものづくり上のばらつきにより鍋と加熱コイルとの距離が変動する場合がある。このような現象は、炊飯性能の低下や炊きむらの増加の原因となるため、このようなばらつきを吸収し、鍋と加熱コイルとの距離を所望の寸法に収める手段として、生産工程内で、炊飯器本体の上部の鍋載置部の高さを測定し、鍋と加熱コイルの距離を調整する手段がとられているものもある。
【０００４】
しかしながら、このような調節手段によると、鍋と２つの加熱コイルを全体的に近づけたり遠ざけたりすることは可能であるが、特に、これら内、外加熱コイルが保護枠に一体に成形されている場合においては、内加熱コイルだけ、または外加熱コイルだけを調節することは困難である。また、炊飯器本体の下面方向の防磁を目的として設けた板状のものであり、防磁板と炊飯性能の相関は特に考慮されたものではないため、金型完成後の炊飯性能の微妙な調整は不可能であった。
【０００５】
本発明は上記従来の課題を解決するもので、防磁部材の径や高さを調整することで、加熱コイルと鍋との結合状態を調整できるようにし、加熱コイルの磁界分布を局所的に変化させることにより、炊きむら、炊飯性能を改善することを目的としている。
【課題を解決するための手段】
【０００６】
本発明は上記目的を達成するために、炊飯器本体内に鍋を着脱自在に収納し、この鍋を加熱コイルにより誘導加熱するよう構成し、加熱コイルの下方に、リード線を円周状に接続した防磁部材を具備したものである。
【０００７】
これにより、防磁部材の径や高さを調整することで、加熱コイルと鍋との結合状態を調整することができ、加熱コイルの磁界分布を局所的に変化させることにより、炊きむら、炊飯性能を改善することができる。
【発明の効果】
【０００８】
本発明の炊飯器は、防磁部材の径や高さを調整することで、加熱コイルと鍋との結合状態を調整することができ、加熱コイルの磁界分布を局所的に変化させることにより、炊きむら、炊飯性能を改善することができる。
【発明を実施するための最良の形態】
【０００９】
第１の発明は、炊飯器本体と、この炊飯器本体内に着脱自在に収納される鍋と、この鍋を誘導加熱する加熱コイルとを備え、前記加熱コイルの下方に、リード線を円周状に接続した防磁部材を具備したものであり、防磁部材の径や高さを調整することで、加熱コイルと鍋との結合状態を調整することができ、加熱コイルの磁界分布を局所的に変化させることにより、炊きむら、炊飯性能を改善することができる。
【００１０】
第２の発明は、炊飯器本体と、この炊飯器本体内に着脱自在に収納される鍋と、この鍋を誘導加熱する加熱コイルとを備え、前記加熱コイルは、同心円状の内加熱コイルと外加熱コイルにより構成し、前記内加熱コイルの下方に、リード線を円周状に接続した防磁部材を具備したものであり、防磁部材の径や高さを調整することで、内加熱コイルおよび外加熱コイルと鍋との結合状態を調整することができ、加熱コイルの磁界分布を局所的に変化させることにより、炊きむら、炊飯性能を改善することができる。
【００１１】
第３の発明は、上記第１または第２の発明において、防磁部材は、炊飯器本体の底部に設けた固定爪により保持するようにしたものであり、組み立て性を向上することができる。
【００１２】
第４の発明は、上記第１または第２の発明において、防磁部材は、炊飯器本体の底部に一体に形成したものであり、組み立て工数を削減することができる。
【００１３】
第５の発明は、上記第１または第２の発明において、防磁部材は、周長を可変としたものであり、金型完成後も炊飯性能の微妙な調整が容易となり、ユーザーによりよい炊飯性能の炊飯器を提供することができる。
【００１４】
第６の発明は、上記第１または第２の発明において、防磁部材は、取り付け高さを可変としたものであり、金型完成後も炊飯性能の微妙な調整が容易となり、ユーザーによりよい炊飯性能の炊飯器を提供することができる。
【００１５】
以下、本発明の一実施の形態について、図面を参照しながら説明する。なお、この実施の形態によって本発明が限定されるものではない。
【００１６】
図１に示すように、炊飯器本体１は、内部に、フランジ付きの鍋２を着脱自在に収納し、炊飯器本体１の上部には一端を開放自在で他端をヒンジ軸３により枢支した蓋体４を開閉自在に設けている。鍋２の下方に加熱コイル５を設け、鍋２を誘導加熱している。この加熱コイル５は、鍋２の底中心付近に設けた内加熱コイル６と、鍋２の底側部に設けた外加熱コイル７とを同心円状に配置しており、内加熱コイル６および外加熱コイル７は電気的に接続した構成としている。
【００１７】
加熱コイル５は、保護枠１２にて保持しており、加熱コイル５の外側には、複数のフェライト８を設けており、加熱コイル５で発生した磁界を効率的に鍋２に伝える構成となっている。また、炊飯器本体１の下面には、リード線の両端部を圧着端子によりかしめることによって、電気的に接続したリング状の防磁部材９を内加熱コイル６と対向して設けており、内加熱コイル６からの電磁波が機体下面方向に漏れるのを防止している。
【００１８】
防磁部材９は、内加熱コイル６の内径よりも大きく、外径よりも小さい径を有し、炊飯器本体１の下面に設けた固定爪１０により保持している。また、固定爪１０は、固定ねじ１１により固定しており、炊飯器本体１に対して水平および鉛直方向には、金型の簡単な改造にて調整可能となっている。
【００１９】
上記構成において作用を説明する。内加熱コイル６の下方にリード線により構成した防磁部材９を設けることにより、金属板で構成した防磁板と同様に、内加熱コイル６から炊飯器本体１の下方への電磁波漏れを抑制することができるとともに、防磁部材９が内加熱コイル６から発生する磁界の一部を吸収することにより、防磁部材９に対向した部分の内加熱コイル６の磁界分布に対して、板状の反射板の場合よりも局所的な影響を与えることが可能となる。
【００２０】
加熱コイルまわりの磁界分布の変化は、鍋２内部の対流の状態を変化させ、炊飯時の炊きむらや食味に大きく影響をあたえるため、防磁部材９の径や内加熱コイル６との距離を調整することにより、ご飯の炊き上がりを調整することができるため、炊きむらや食味を改善することができ、ユーザーによりよい炊飯性能の炊飯器を提供することができる。
【００２１】
また、防磁部材９は、炊飯器本体１の底部に設けた固定爪１０により保持するようにしたので、組み立て性を向上することできる。
【００２２】
なお、上記実施の形態では、加熱コイル５が同心円状の内加熱コイル６と外加熱コイル７に分割された構成で、炊飯器本体１の底面に防磁部材９を設ける構成の例を述べたが、加熱コイルを１つの加熱コイルにより構成している場合や、防磁部材９を保護枠１２に設けた場合においても同様の効果が得られることはいうまでもない。
【００２３】
また、防磁部材９は、炊飯器本体１の底部に一体に形成することにより、組み立て工数を削減することができる。
【００２４】
また、防磁部材９は、周長を可変とすることにより、金型完成後も炊飯性能の微妙な調整が容易となり、ユーザーによりよい炊飯性能の炊飯器を提供することができる。
【００２５】
また、防磁部材９は、取り付け高さを可変とすることにより、金型完成後も炊飯性能の微妙な調整が容易となり、ユーザーによりよい炊飯性能の炊飯器を提供することができる。
【００２６】
また、防磁部材９の数量についても、本実施の形態では、１本で構成する場合の例を述べたが、複数本の防磁部材を設ける場合においては、より細かな調整が可能となり、炊飯性能の改善において同様の効果が得られることはいうまでもない。
【産業上の利用可能性】
【００２７】
以上のように、本発明にかかる炊飯器は、防磁部材の径や高さを調整することで、加熱コイルと鍋との結合状態を調整することができ、加熱コイルの磁界分布を局所的に変化させることにより、炊きむら、炊飯性能を改善することができるので、炊飯器本体の底部に略リング状の防磁部材を設けた炊飯器として有用である。
【図面の簡単な説明】
【００２８】
【図１】本発明の一実施の形態の炊飯器の断面図
【符号の説明】
【００２９】
１  炊飯器本体
２  鍋
５  加熱コイル
９  防磁部材
【図１】
2005081043.tif 000003